(57)【要約】【課題】  使用開始後、開閉蓋だけで密封性を確保することができる摺り切り具付き開閉蓋を提供すること。【解決手段】  開閉蓋部２３で開閉される固定枠体２１の開口取出し部２４を略Ｕ字状としてヒンジ部２３aに略垂直かつ互いに略平行な２本の平行直線部２４ｂを備え、これに沿って不断の連続した固定シールリング部２６を形成し、開閉蓋部２３の天面内側に、対応する不断の連続したインナーリング部２７を形成することで、開閉蓋部２３と固定枠体２１とをヒンジ部２３ａの近傍では、固定シールリング部２６とインナーリング部２７の直線部分で接触させることができ、これにより、開閉蓋部２３の開閉の繰り返しによっても干渉や変形を防止することができ、密封性を確保するようにしている。また、固定蓋部２２に、開閉蓋部２３のヒンジ部２３ａに沿って缶内部に突出する板状の摺り切り具２５を一体に形成してある。【選択図】  図１
0003136642.tif 000002
【実用新案登録請求の範囲】
【請求項１】
端部にフルオープンタイプの金属製イージーオープン内蓋が巻き締められ密封された金属缶に装着される合成樹脂製の摺り切り具付き開閉蓋であって、
前記金属缶の缶口部を覆って巻き締め部に嵌合固定される固定枠体に設けられて前記缶口部の一部を塞ぐ固定蓋部と、
前記固定枠体の前記缶口部の前記固定蓋部で覆われない残部に形成され、当該残部の端部の直線部に形成されるヒンジ部に対して略垂直かつ互いに略平行な直線とこれらをつなぐ曲線とでなる略Ｕ字状の開口取り出し部と、
この開口取り出し部を覆って開閉され前記固定蓋部に前記ヒンジ部を介して一体に形成される開閉蓋部と、からなり、
前記固定蓋部に、前記ヒンジ部に沿って缶内部に突出する板状の摺り切り具を形成し、
前記固定枠体の前記開口取り出し部の略Ｕ字状の外側縁部に、上方に突き出す不断の固定シールリング部を形成するとともに、前記開閉蓋部の天面内側に前記固定シールリング部と接触してシールする不断のインナーリング部を形成し、
前記固定枠体の前記開口取り出し部の曲線状の固定シールリング部と、当該固定シールリング部に対応する前記開閉蓋部の外周側壁部との間に、互いを係合可能とするアンダーカット部を形成したことを特徴とする摺り切り具付き開閉蓋。
【考案の詳細な説明】
【技術分野】
【０００１】
この考案は摺り切り具付き開閉蓋に関し、金属缶のイージーオープン蓋を取り除いた後の密封性を確保できるようにしたもので、特に粉粒体の容器の蓋として好適なものである。
【背景技術】
【０００２】
従来から、粉粒体の容器として缶容器が広く用いられており、内容物の取り出しの際に計量が行われることも多く、例えば栄養補助食品や粉ミルクなどでは、スプーンに掬い取ったものを缶口部の摺り切り具で摺り切って計量することが行われている。
【０００３】
このような粉粒体が入れられる缶容器では、製造後、消費者の手に渡るまでの流通過程で防湿などの品質を維持するため、不通気性のアルミシールなどを熱融着して密封状態としている。
一方、開封後の取出し・計量を簡単にするため、缶容器とは別に合成樹脂製の開閉蓋を備えておき、例えば、アルミシールなどを取り除いた後、棒状の摺り切り具を開封した缶口部の内側に取り付けて摺り切りできるようにするものがあった。
【０００４】
さらに、簡単に取出し・計量できるようにしたものとして、特許文献1には、図５に示すように、筒状の開閉蓋１を固定用の小さな固定蓋部２と、開閉用の大きな開閉蓋部３とで構成するとともに、固定蓋部２の下面に摺り切り条４を形成しておき、開閉蓋部３を開いて、スプーンなどで掬い取った後、固定蓋部２の下面の摺り切り条４で摺り切ることができるようにしている。
【特許文献１】特開２０００−２８１１１６号公報
【考案の開示】
【考案が解決しようとする課題】
【０００５】
ところが、特許文献１に開示された開閉蓋においては、使用開始時に、防湿のため取り付けてあるアルミシールなどを一旦取り除くと、その後は、開閉蓋１の固定蓋部２および開閉蓋部３で密封状態を維持しなければならないが、取出し・計量をスムーズに行なうため、通常、固定蓋部２に対して開閉蓋部３を大きくしてあり、開閉蓋部３のヒンジ部側に近い基端側壁部分３ａが円の一部を構成していることから開口縁５より内側に位置することになる。
このため、開閉蓋部３の開閉のたびに基端側壁部分３ａが開口縁５と干渉して変形力が加わり、これが繰り返されることで密着性が低下するという問題がある。
【０００６】
この考案は、上記従来技術の課題に鑑みてなされたもので、使用開始後、開閉蓋だけで密封性を確保することができる摺り切り具付き開閉蓋を提供しようとするものである。
【課題を解決するための手段】
【０００７】
上記従来技術の有する課題を解決するためこの考案の請求項１記載の摺り切り具付き開閉蓋は、端部にフルオープンタイプの金属製イージーオープン内蓋が巻き締められ密封された金属缶に装着される合成樹脂製の摺り切り具付き開閉蓋であって、前記金属缶の缶口部を覆って巻き締め部に嵌合固定される固定枠体に設けられて前記缶口部の一部を塞ぐ固定蓋部と、前記固定枠体の前記缶口部の前記固定蓋部で覆われない残部に形成され、当該残部の端部の直線部に形成されるヒンジ部に対して略垂直かつ互いに略平行な直線とこれらをつなぐ曲線とでなる略Ｕ字状の開口取り出し部と、この開口取り出し部を覆って開閉され前記固定蓋部に前記ヒンジ部を介して一体に形成される開閉蓋部と、からなり、前記固定蓋部に、前記ヒンジ部に沿って缶内部に突出する板状の摺り切り具を形成し、前記固定枠体の前記開口取り出し部の略Ｕ字状の外側縁部に、上方に突き出す不断の固定シールリング部を形成するとともに、前記開閉蓋部の天面内側に前記固定シールリング部と接触してシールする不断のインナーリング部を形成し、前記固定枠体の前記開口取り出し部の曲線状の固定シールリング部と、当該固定シールリング部に対応する前記開閉蓋部の外周側壁部との間に、互いを係合可能とするアンダーカット部を形成したことを特徴とするものである。
この摺り切り具付き開閉蓋によれば、開閉蓋部で開閉される固定枠体の開口取出し部を略Ｕ字状としてヒンジ部に対して略垂直かつ互いに略平行な直線部を備えるようにし、これに沿って不断の連続した固定シールリング部を形成し、開閉蓋部の天面内側に、対応する不断の連続したインナーリング部を形成することで、開閉蓋部と固定枠体とをヒンジ部の近傍では、固定シールリング部とインナーリング部の直線部分で接触させ、開閉蓋部の開閉の繰り返しによっても干渉や変形を防止するようにし、密封性を確保するようにしている。また、固定蓋部に、開閉蓋部のヒンジ部に沿って缶内部に突出する板状の摺り切り具を一体に形成し、摺り切りができるようにしてある。
【０００８】
また、固定枠体の固定シールリング部の曲線部分と開閉蓋部の曲線部分とにアンダーカット部を形成することで、施蓋状態を一層確実に保持でき、密封性を向上できるようにしている。
【０００９】
さらに、缶口部にイージーオープン内蓋を巻き締めて密封することで、アルミシールの場合のように、フランジ部の巻き締めとフランジ部へのアルミシールの熱融着との２工程での密封に比べ、簡単かつ高速で密封できるようになる。
【考案の効果】
【００１０】
この考案の請求項１記載の摺り切り具付き開閉蓋によれば、端部にフルオープンタイプの金属製イージーオープン内蓋が巻き締められ密封された金属缶に装着される合成樹脂製の摺り切り具付き開閉蓋であって、前記金属缶の缶口部を覆って巻き締め部に嵌合固定される固定枠体に設けられて前記缶口部の一部を塞ぐ固定蓋部と、前記固定枠体の前記缶口部の前記固定蓋部で覆われない残部に形成され、当該残部の端部の直線部に形成されるヒンジ部に対して略垂直かつ互いに略平行な直線とこれらをつなぐ曲線とでなる略Ｕ字状の開口取り出し部と、この開口取り出し部を覆って開閉され前記固定蓋部に前記ヒンジ部を介して一体に形成される開閉蓋部と、からなり、前記固定蓋部に、前記ヒンジ部に沿って缶内部に突出する板状の摺り切り具を形成し、前記固定枠体の前記開口取り出し部の略Ｕ字状の外側縁部に、上方に突き出す不断の固定シールリング部を形成するとともに、前記開閉蓋部の天面内側に前記固定シールリング部と接触してシールする不断のインナーリング部を形成し、前記固定枠体の前記開口取り出し部の曲線状の固定シールリング部と、当該固定シールリング部に対応する前記開閉蓋部の外周側壁部との間に、互いを係合可能とするアンダーカット部を形成したので、開閉蓋で開閉される固定枠体の開口取出し部を略Ｕ字状としてヒンジ部に対して略垂直かつ互いに略平行な直線部を備え、これに沿って不断の連続した固定シールリング部を形成し、開閉蓋部の天面内側に、対応する不断の連続したインナーリング部を形成することで、開閉蓋部と固定枠体とをヒンジ部の近傍では、固定シールリング部とインナーリング部の直線部分で接触させさせることができ、これにより、開閉蓋部の開閉の繰り返しによっても干渉や変形を防止することができ、密封性を確保することができる。また、固定蓋部に、開閉蓋部のヒンジ部に沿って缶内部に突出する板状の摺り切り具を一体に形成したので、摺り切りすることができる。
【００１１】
また、前記固定枠体の前記開口取出し部の曲線状の固定シールリング部と、当該固定シールリング部に対応する前記開閉蓋部の外周側壁部との間に、互いを係合可能とするアンダーカット部を形成したので、固定枠体の固定シールリング部の曲線部分と開閉蓋部の曲線部分とに形成したアンダーカット部で、施蓋状態を一層確実に保持することができ、密封性を向上することができる。
【００１２】
さらに、前記固定枠体が嵌合固定される缶口部が、予め金属板のイージーオープン内蓋で密封してあるので、缶口部にイージーオープン内蓋を巻き締めて密封することで、アルミシールの場合のように、フランジ部の巻き締めとフランジ部へのアルミシールの熱融着との２工程での密封に比べ、簡単かつ高速で密封することができる。
【考案を実施するための最良の形態】
【００１３】
以下、この考案の一実施の形態を図面に基づき詳細に説明する。  
図１〜図４はこの考案の摺り切り具付き開閉蓋の一実施の形態にかかり、図１は開蓋状態の概略斜視図、図２は開蓋状態の平面図および正面図、図３は開蓋状態の断面図、図４は施蓋状態の正面図および断面図である。
【００１４】
この摺り切り具付き開閉蓋２０は、容器として、例えば図１に示すように、円筒形の缶Ｃに備えられ、缶口部Ｃ１を覆って嵌合固定することができる合成樹脂製の環状の固定枠体２１を備えている。
【００１５】
この固定枠体２１は、図３および図４ (ｂ)に示すように、缶Ｃの上端縁の巻き締め部であるカール部に被せるようにして固定するための環状の嵌合固定部２１ａが形成され、水平部とその外側の側壁部とで逆Ｌ字状に形成してある。そして、この摺り切り具付き開閉蓋２０では、使用開始時に缶Ｃの缶口部Ｃ１を密封状態としているイージーオープン内蓋を取り除いて開口する場合に、一旦、巻き締め部であるカール部から取り外し、開封後に再び嵌合固定できるようにしてある。
【００１６】
この摺り切り具付き開閉蓋２０には、固定枠体２１を覆って施蓋状態とするため、固定蓋部２２と、開閉蓋部２３とを備えており、缶口部Ｃ１が円周の２点を結ぶ直線（弦）で仕切られて面積の約１／３程度が固定蓋部２２で常時施蓋状態とされ、この直線（弦）で仕切られた残りの約２／３の部分が開口取出し部２４とされて開閉蓋部２３で開閉されるようになっている。
これら固定蓋部２２および開閉蓋部２３の外径が缶Ｃの外径より僅かに小さくしてあり、缶Ｃを安定して積み重ねてスタックすることができるようにしてある。
【００１７】
この開口取り出し部２４は、図１および図２(ａ)に示すように、略Ｕ字状とされ、固定蓋部２２と仕切られる直線(弦)部２４ａと、その両端部内側の垂直な２本の互いに平行な平行直線部２４ｂと、これら平行直線部２４ｂの先端部を缶Ｃの外周に沿う円で構成される曲線２４ｃで結んで形成してある。そして、固定枠体２１の略Ｕ字状の開口取出し部２４の外側は、嵌合固定部２１ａの水平部と平面をなして閉じられた状態としてある。
【００１８】
また、この固定蓋部２２には、開口取り出し部２４と仕切られる直線(弦)部２４ａに沿って缶Ｃの内に突き出す板状の摺り切り具２５が合成樹脂により一体に形成してあり、この摺り切り具２５の上部には、摺り切り具２５に沿って開閉蓋部２３を開閉可能に連結する合成樹脂を薄肉としたヒンジ部２３ａが設けてある。
なお、固定枠体２１の缶口部Ｃ１の固定蓋部２２で覆われない残部の端部の直線部が開口取り出し部２４と仕切られる直線(弦)部２４ａとなる。
【００１９】
この固定枠体２１には、開口取出し部２４の周囲に上方に突き出して厚さが一定の垂直壁で構成された不断の連続した固定シールリング部２６が一体に形成してあり、固定枠体２１の嵌合固定部２１ａの水平部に対して缶Ｃの内側にも突き出すように形成してある。すなわち、この固定枠体２１の固定シールリング部２６は、ヒンジ部２３ａに沿う直線部２６ａと、この直線部２６ａの両端部の内側からヒンジ部２３ａに垂直な２本の互いに平行な平行直線部２６ｂと、この平行直線部２６ｂの先端部を結ぶ曲線部２６ｃによって略Ｕ字状の環状に形成されている。
なお、図示例では、固定シールリング部２６のヒンジ部２３ａに沿う直線部２６ａが板状の摺り切り具２５と兼用されている。
【００２０】
このような固定枠体２１の略Ｕ字状で周囲に固定シールリング部２６が形成された開口取出し部２４を塞ぐ開閉蓋部２３は、固定枠体２１の固定蓋部２２の直線部分に沿って形成された薄肉のヒンジ部２３ａを介して開閉可能に連結されて合成樹脂で一体成形されている。この開閉蓋部２３には、ヒンジ部２３ａを除く円弧状の外周部に平行直線部２６ｂおよび曲線部２６ｃの外側に嵌合される外周側壁部２３ｂが形成され、その下端面が、施蓋状態とすることで、固定枠体２１の上面に接触するようにしてあり、固定蓋部２２と協働して缶Ｃの缶口部Ｃ１全体の固定枠体２１を覆うことができるようにしてある。
【００２１】
また、この開閉蓋部２３には、密封状態を保持するため、天面内側に固定枠体２１の固定シールリング部２６の内側に接触してシールする不断の連続したインナーリング部２７が下方に突き出すように形成してある。すなわち、この開閉蓋部２３のインナーリング部２７は、固定シールリング部２６に対応して、ヒンジ部２３ａに沿う直線部２７ａと、この直線部２７ａの両端部の内側からヒンジ部２３ａに垂直な２本の互いに平行な平行直線部２７ｂと、これら平行直線部２７ｂの先端部を結ぶ曲線部２７ｃによって略Ｕ字状の環状に形成されている。
そして、開閉蓋部２３のヒンジ部２３ａと対向する外周側壁部２３ｂの頂部には、つまみ部２８が水平に突き出すように形成してある。
【００２２】
このように構成した摺り切り具付き開閉蓋２０では、固定枠体２１ごと缶Ｃの巻き締め部であるカール部から摺り切り具付き開閉蓋２０を一旦取り外して缶口部Ｃ１を密封するイージーオープン内蓋を取り外して開封した後、摺り切り具付き開閉蓋２０を固定枠体２１の嵌合固定部２１ａを押し込むようにして缶Ｃの巻き締め部であるカール部に取り付ける。
そして、内容物を取り出し・計量する場合には、開閉蓋部２３のつまみ部２８を引き上げるようにして開閉蓋部２３を、ヒンジ部２３ａを基点として回動し、図１〜図３に示すように、開閉蓋部２３を開いた開蓋状態とする。
【００２３】
この後、開口取出し部２４からスプーンで粉粒体を掬い、摺り切り具２５に当てて摺り切ることで、余分な粉粒体を落として計量して取り出す。
【００２４】
こうして、粉粒体を計量して取り出した後、開閉蓋部２３を、ヒンジ部２３ａを基点として押し下げるように回動すると、固定シールリング部２６の平行直線部２６ｂとインナーリング部２７の平行直線部２７ｂとが接触を開始した後、次第に接触面積を増大しながら接触した後、開閉蓋部２３を閉めるように回動するにしたがって固定シールリング部２６の曲線部２６ｃとインナーリング部２７の曲線部２７ｃとが接触し、さらに閉じると、ヒンジ部２３ａに最も近い固定枠体２１の固定シールリング部２６の直線部２６ａと開閉蓋部２３のインナーリング部２７の直線部２７ａとが接触する。
そして、開閉蓋部２３を完全に閉じた施蓋状態になると、固定枠体２１の固定シールリング部２６の内周面に、開閉蓋部２３のインナーリング部２７の外周面が接触したシール状態となる。これにより、缶Ｃの缶口部Ｃ１の密封状態を保つことができる。
【００２５】
このような開閉蓋部２３をヒンジ部２３ａを基点に回動させて密封する場合に、固定シールリング部２６と開閉蓋部２３のインナーシール部２７とにそれぞれ平行直線部２６ｂ，２７ｂを形成して接触させるようにすることで、図５に示した従来の開閉蓋部３のヒンジ部側に近い円の一部をなす基端側壁部分３ａが開口縁５より内側に位置することになって開閉蓋部３の開閉のたびに基端側壁部分３ａが開口縁５と干渉して変形力が加わって密着性が低下するということが全くなく、図４(ｂ)に示すように、この摺り切り具付き開閉蓋２０では、固定枠体２１の固定シールリング部２６や開閉蓋体２３のインナーリング部２７の変形を防止して、密着性を保持することができる。
また、開閉蓋部２３の外周側壁部２３ｂの下端面が固定枠体２１の上面に接触した状態となるので、缶Ｃの外側からのごみやほこりなどの浸入を防止することができ、衛生的に保つこともできる。
【００２６】
なお、開閉蓋部２３の外周側壁部２３ｂでは、ヒンジ部２３ａ側の端部が内側に位置するようになるが、この外周側壁部２３ｂで密封状態を保持する必要がなく、例え変形が生じるようなことがあってもシール性に何ら影響を及ぼすことがない。
【００２７】
さらに、この摺り切り具付き開閉蓋２０では、図３に示すように、固定枠体２１の固定シールリング部２６の曲線部２６ｃの外周と、対応する開閉蓋部２３の外周側壁部２３ｂの内周面にアンダーカット部２９が形成してあり、アンダーカット部２９同士を係合することで、施蓋状態を一層確実に保持できるようにしてある。
【００２８】
また、この摺り切り具付き開閉蓋２０では、缶Ｃに内容物を充填後密封するため、金属板のイージーオープン内蓋を設けであり、これにより、アルミシールの場合のように、フランジ部の巻き締めと、その後のフランジ部へのアルミシールの熱融着との２工程での密封に比べ、缶口部にイージーオープン内蓋を巻き締めるだけで良く、簡単かつ高速で密封することができる。
【００２９】
なお、上記の実施の形態では、摺り切り具の横断面形状を板状の矩形としたが、これらに限らず三角形や円形、あるいはＴ字状など他の横断面形状であっても良く、摺り切りやすく、しかも固定枠体と一体に成形できるものであれば良い。
また、この実施の形態では、容器として円筒形の金属缶に適用する場合で説明したが、円筒形に限らず、多角筒形など他の形状であっても良い。
さらに、開口取り出し部は、ヒンジ部に対して垂直かつ互いに平行な直線とこれらをつなぐ曲線とでなるＵ字状にする場合に限らず、ヒンジ部に対して略垂直かつ互いに略平行な直線とこれらをつなぐ曲線とでなる略Ｕ字状としたものであっても良い。
【図面の簡単な説明】
【００３０】
【図１】この考案の摺り切り具付き開閉蓋の一実施の形態にかかる開蓋状態の概略斜視図である。
【図２】この考案の摺り切り具付き開閉蓋の一実施の形態にかかる開蓋状態の平面図および正面図である。
【図３】この考案の摺り切り具付き開閉蓋の一実施の形態にかかる開蓋状態の断面図である。
【図４】この考案の摺り切り具付き開閉蓋の一実施の形態にかかる施蓋状態の正面図および断面図である。
【図５】従来の摺り切り片付き蓋の説明斜視図である。
【符号の説明】
【００３１】
２０      摺り切り具付き開閉蓋
２１      固定枠体
２１ａ    嵌合固定部
２２      固定蓋部
２３      開閉蓋部
２３ａ    ヒンジ部
２３ｂ    外周側壁部
２４      開口取出し部
２４ａ    直線(弦)部
２４ｂ    平行直線部
２４ｃ    曲線
２５      摺り切り具
２６      固定シールリング部
２６ａ    直線部
２６ｂ    平行直線部
２６ｃ    曲線部
２７      インナーリング部
２７ａ    直線部
２７ｂ    平行直線部
２７ｃ    曲線部
２８      つまみ部
２９      アンダーカット部
Ｃ        缶
Ｃ１      開口部
【図１】
0003136642.tif 000003
【図２】
0003136642.tif 000004
【図３】
0003136642.tif 000005
【図４】
0003136642.tif 000006
【図５】
0003136642.tif 000007